(57)【要約】【課題】ノート又はバインダに取り付けられ、収容物の抜き差しを容易に行うことができ、収容物の脱落が抑制されたシートを提供する。【解決手段】シート１は、ノート又はバインダに取り付けられるシート本体１１と、シート本体１１に設けられたポケット１３と、収容物が挿入されるスリット１２とを備える。スリット１２を有するので、上側部分がスリット１２から飛び出した状態で収容物をスリット１２に挿入して保持することができ、抜き差しが容易である。【選択図】図３
2019077157.tif 000002
【特許請求の範囲】
【請求項１】
ノート又はバインダに取り付けられるシート本体と、
該シート本体に設けられたポケットと、
収容物が挿入されるスリットと
を備えることを特徴とするシート。
【請求項２】
前記ポケットの開口部は、前記シート本体の対応する縁部から所定間隔を隔ててあり、
前記開口部が設けられている部分と反対側の部分に前記スリットが設けられていることを特徴とする請求項１に記載のシート。
【請求項３】
前記ポケットの開口部は、前記シート本体の側方の縁部に対向することを特徴とする請求項１又は２に記載のシート。
【請求項４】
前記ポケットの縁部に、他のシート又は板状物を挟持する挟持片を備えることを特徴とする請求項１から３までのいずれか１項に記載のシート。
【請求項５】
縁部にインデックスタブを備えることを特徴とする請求項１から４までのいずれか１項に記載のシート。
【発明の詳細な説明】
【技術分野】
【０００１】
本発明は、ノート又はバインダに取り付けられるシートに関する。
【背景技術】
【０００２】
リングを有する綴じ具を表紙に設け、綴じ孔を有する用紙の綴じ孔にリングを挿通して用紙を綴じるように構成された、ダイアリー、システム手帳等の種々のバインダが開発されている。
【０００３】
特許文献１には、裏面又は表面の一部に縦長のカバーを袋状に形成してなるポケットを設けたシステム手帳用シートが開示されている。ポケットには、紅筆、アイシャドーチップ等の化粧用具や、おしろい、口紅等の化粧品等を収納可能であると記載されている。
【先行技術文献】
【特許文献】
【０００４】
【特許文献１】特開２００３−１９６９号公報
【発明の概要】
【発明が解決しようとする課題】
【０００５】
特許文献１においては、ポケットが縦長に形成されており、収容物が底に沈みこんだ場合、取り出しにくいという問題がある。
【０００６】
本発明は斯かる事情に鑑みてなされたものであり、ノート又はバインダに取り付けられ、収容物の抜き差しを容易に行うことができ、収容物の脱落が抑制されたシートを提供することを目的とする。
【課題を解決するための手段】
【０００７】
本発明に係るシートは、ノート又はバインダに取り付けられるシート本体と、該シート本体に設けられたポケットと、収容物が挿入されるスリットとを備えることを特徴とする。
【０００８】
本発明においては、スリットを有するので、一部分がスリットから飛び出した状態で収容物をスリットに挿入して保持することができる。一部分がスリットから飛び出しているので、収容物はスリットから容易に取り出すことができる。収容物の内側端部はポケットに係止されるので、スリットが幅を有していたとしても収容物がずり落ちることはない。
【０００９】
本発明に係るシートは、前記ポケットの開口部は、前記シート本体の対応する縁部から所定間隔を隔ててあり、前記開口部が設けられている部分と反対側の部分に前記スリットが設けられているのが好ましい。
【００１０】
ここで、「前記ポケットの開口部は、前記シート本体の対応する縁部から所定間隔を隔ててあり」とは、ポケットの開口部がシート本体の縁部より下がっている場合、ポケットの開口部がシート本体の縁部より突出している場合、及びシート本体の縁部がポケットの開口部から下がるようにシート本体が切り欠かれている場合を含む。「前記開口部が設けられている部分と反対側の部分に前記スリットが設けられている」とは、スリットがポケットの開口部が設けられている部分と反対側の部分に設けられている場合、又はスリットがシート本体に設けられている場合を含む。
【００１１】
本発明においては、ポケットの開口部がシート本体の対応する縁部から所定間隔離れているので、収容物の抜き差しをより容易に行うことができる。
そして、開口部が設けられている部分と反対側の部分にスリットが設けられているので、スリットに収容物を挿入し、ポケットの開口部から他の収容物を挿入して収容することができる。収容物同士の干渉が抑制された状態で、スリット及びポケットに収容物を保持でき、シートの面を有効活用できる。
【００１２】
本発明に係るシートは、前記ポケットの開口部は、前記シート本体の側方の縁部に対向するのが好ましい。
【００１３】
本発明においては、収容物のポケットへの抜き差しが容易である。
【００１４】
本発明に係るシートは、前記ポケットの縁部に、他のシート又は板状物を挟持する挟持片を備えるのが好ましい。
【００１５】
本発明においては、ポケット内で収容物がずれたり、ポケットから収容物が脱落したりするのが良好に抑制される。
【００１６】
本発明に係るシートは、縁部にインデックスタブを備えるのが好ましい。
【００１７】
本発明においては、インデックスタブを備えるので、ポケット又はスリットの収容物の内容を表示したり、分類に用いたりすることができ、利便性が良好である。
【発明の効果】
【００１８】
本発明によれば、シート本体に設けられたポケットと、収容物が挿入されるスリットとを備えるので、収容物の抜き差しを容易に行うことができ、収容物の脱落が抑制されている。
【図面の簡単な説明】
【００１９】
【図１】第１実施形態に係るバインダの斜視図である。
【図２】バインダの表紙が開いた状態を内側から見たときの平面図である。
【図３】シートの平面図である。
【図４】シートの裏面図である。
【図５】シート本体のスリットに、名刺が挿入されている状態を示す平面図である。
【図６】ポケットに、紙類Ｂが収納されている状態を示す平面図である。
【図７】シートの裏側で、用紙がしおり部に挟まれた状態を示す平面図である。
【図８】図７のVIII−VIII線部分断面図である。
【図９】第２実施形態に係るシートを示す平面図である。
【図１０】第３実施形態に係るシートを示す裏面図である。
【発明を実施するための形態】
【００２０】
以下、実施形態を図面に基づいて具体的に説明する。
（第１実施形態）
図１は第１実施形態に係るバインダ１０の斜視図、図２はバインダ１０の表紙が開いた状態を内側から見たときの平面図である。
【００２１】
図１に示すように、バインダ１０は、シート１、表表紙２、貫通孔３、裏表紙４、リング５２を有する綴じ具５、背表紙６、及び用紙７を備える。表表紙２、背表紙６、及び裏表紙４は、例えばポリプロピレン等の合成樹脂により一体的に形成されている。
表表紙２は、背表紙６側の端部に、背表紙６が延びる方向に複数並ぶ横長の貫通孔３を有する。表表紙２の背表紙６と反対側の縁部の中央部寄りには、背表紙６側に凹んだ凹部２ａが複数連続して設けられている。
【００２２】
裏表紙４の背表紙６側には、綴じ具５が取り付けられている。裏表紙４の背表紙６と反対側の縁部の中央部寄りには、背表紙６側に凹んだ凹部４ａが複数設けられている。
【００２３】
綴じ具５は、軸部材５１、リング５２、及び係合部５３を有する。軸部材５１は裏表紙４の背表紙６側に、背表紙６に沿って延びるように設けられており、軸部材５１上に一体的に等間隔に並ぶように複数のリング５２が形成されている。係合部５３は軸部材５１に対向するように直線状に形成されており、背表紙６が延びる方向に直線状に並設された複数の係合孔５３ａと、係合孔５３ａ間に同一直線状に並設された係合凹部５３ｂと、係合孔５３ａと係合凹部５３ｂとの間に２箇所設けられた位置決め突部５３ｃとを備える。複数の係合孔５３ａが連続して並ぶ群と、複数の係合凹部５３ｂが連続して並ぶ群とがあり、係合孔５３ａの群と係合凹部５３ｂの群との間に、位置決め突部５３ｃが配置されている。
【００２４】
綴じ具５は、リング５２の端部５２ａが係合孔５３ａ又は係合凹部５３ｂに係合されることにより閉じた状態になる。この係合が解除されることにより、綴じ具５は開いた状態になる。位置決め突部５３ｃは、リング５２が開いた状態で、シート１の後述する綴じ孔１１ｅ、又は用紙７の後述する綴じ孔７ａに挿通されることによりシート１又は用紙７を位置決めするために用いられる。
綴じ具５が閉じた状態で表表紙２を閉じたとき、リング５２の表側の部分が貫通孔３に挿入される。
綴じ具５によって、シート１及び複数の用紙７が裏表紙４に綴じられる。
【００２５】
シート１は例えばポリプロピレン等の合成樹脂製であり、透明又は半透明である。シート１は複数有してもよい。シート１は最初に綴じられる場合に限定されず、用紙７の間に挿入されていてもよい。そして、シート１は合成樹脂製である場合に限定されず、紙製であってもよい。また、用紙７の代わりに、合成樹脂製のシートを用いてもよい。
シート１は縦長の長方形状をなし、後述する長縁部１１ｃにインデックスタブ１４を有し、縦長の長方形状をなす用紙７のうち２枚は、長縁部にインデックスタブ１６を備える。凹部２ａからインデックスタブ１４及び１６の表側に記載された内容が表出し、凹部４ａからインデックスタブ１４及び１６の裏側に記載された内容が表出する。
【００２６】
図３はシート１の平面図、図４はシート１の裏面図である。
シート１は、シート本体１１、スリット１２、ポケット１３、インデックスタブ１４、及びしおり部（挟持片）１５を備える。
シート本体１１は、縦長の長方形の対向する二つの短縁部１１ａ、１１ｂと、対向する二つの長縁部１１ｃ、１１ｄとを有する。一方の長縁部１１ｄに沿って、リング５２が挿通される複数の綴じ孔１１ｅが並設されている。
シート本体１１の表面において一方の短縁部１１ｂ寄りには、短手方向に延びるスリット１２が設けられている。図３においては、スリット１２は少し幅を有しているが、これには限定されない。幅を有さず、直線状に設けられていてもよい。
【００２７】
シート本体１１の裏面には、前記一方の長縁部１１ｄから所定間隔を隔てて、開口部１３ａが位置するように、ポケット１３が設けられている。ポケット１３の開口部１３ａ以外の縁部は、二つの短縁部１１ａ、１１ｂ、及び他方の長縁部１１ｃと重なっている。図３のシート１においては、一枚のシートを折り曲げて他方の長縁部１１ｃ（ポケット１３の底部）を形成し、ポケット１３の向かい合う２つの縁部をシート本体１１の短縁部１１ａ、１１ｂに夫々、超音波溶着により固着している。
【００２８】
ポケット１３の他方の長縁部１１ｃ側の長手方向の略中央部には、切欠き１３ｂが設けられている。切欠き１３ｂは、横長の長方形の一方の長縁部１１ｄ側かつ他方の短縁部１１ａ側の角部が欠けた五角形状をなす。切欠き１３ｂの他方の長縁部１１ｃ側には、インデックスタブ１４が設けられている。インデックスタブ１４は、四角形を外側で山折することで生じる二片の縦長の長方形の部分からなり、二片の短辺側端部同士を超音波溶着により固着した固着部１４ａ，１４ａを有する。インデックスタブ１４のポケット１３の裏面側の一片には、しおり部１５が連設されている。
【００２９】
しおり部１５は、切欠き１３ｂに倣った五角形状を有する。しおり部１５の一方の短縁部１１ｂに平行な方向の寸法は、切欠き１３ｂの前記方向の寸法より短い。しおり部１５の一方の長縁部１１ｄ側の先端部は、切欠き１３ｂの一方の長縁部１１ｄ側の先端部よりも、他方の長縁部１１ｃ側に配置されている。しおり部１５の先端部分は自由端である。
【００３０】
本実施形態のシート１においては、ポケット１３の裏面から、インデックスタブ１４の二片としおり部１５とを合わせた部分を切り出し、インデックスタブ１４の二片分、外側に突出させて中央部で折り曲げ、インデックスタブ１４としおり部１５と切欠き１３ｂとを形成している。
【００３１】
本実施形態においては、インデックスタブ１４を備えるので、ポケット１３又はスリット１２の収容物の内容を表示したり、分類に用いたりすることができ、利便性が良好である。
上述の製造方法により、インデックスタブ１４としおり部１５とは一度に容易に形成される。
なお、インデックスタブ１４、しおり部１５、及び切欠き１３ｂの製造方法は、上述の場合には限定されない。インデックスタブ１４としおり部１５とが連設される場合にも限定されない。
【００３２】
図５は、シート本体１１のスリット１２に、名刺Ａが挿入されている状態を示す平面図である。
図５に示すように、名刺Ａを他方の短縁部１１ａ側からスリット１２に差し入れたとき、名刺Ａの内側端部は、一方の短縁部１１ｂとポケット１３の縁部との溶着部に対向するのでずり落ちることはなく、名刺Ａをスリット１２に良好に保持することができる。そして、名刺Ａの他方の短縁部１１ａ側の部分がスリット１２から飛び出るように構成されているので、名刺Ａは抜き差しが容易である。
なお、スリット１２に挿入される収容物は、名刺等の紙類に限定されず、合成樹脂製のシート等であってもよい。
【００３３】
図６は、ポケット１３に、名刺Ａよりサイズが大きい紙類Ｂが収納されている状態を示す平面図である。
図６に示すように、紙類Ｂの一つの縁部がポケット１３の開口部１３ａからはみ出し、紙類Ｂの他の三つの縁部が、シート本体１１の短縁部１１ａ、１１ｂ、及び他方の長縁部１１ｃに対向する状態で、紙類Ｂがポケット１３に収納されている。サイズが大きい紙類Ｂをポケット１３に良好に保持することができる。
なお、ポケット１３に収容される収容物は、名刺等の紙類に限定されず、合成樹脂製のシート等であってもよい。
【００３４】
本実施形態においては、シート本体１１の表面に設けられたスリット１２に収容物を挿入し、シート本体１１の裏面に設けられたポケット１３に他の収容物を収容することができる。収容物の干渉が抑制された状態で、両面に収容物を保持でき、シート本体１１の両面を有効活用できる。
【００３５】
図７はシート１の裏側で、用紙７がしおり部１５に挟まれた状態を示す平面図、図８は図７のVIII−VIII線部分断面図である。図７及び図８において、表紙、及びリング５２は省略している。
図７及び図８は、図６の状態で、しおり部１５により用紙７を挟み込んだ状態を示す。
図７及び図８に示すように、紙類Ｂは用紙７により動きが抑制され、ずり落ちることがない。
【００３６】
（第２実施形態）
図９は、第２実施形態に係るシート２０を示す平面図である。
シート２０は、シート本体２１、スリット２２、ポケット２３、インデックスタブ２４、及びしおり部２５を備える。
シート本体２１は縦長の長方形状をなし、対向する二つの短縁部２１ａ、２１ｂと、対向する二つの長縁部２１ｃ、２１ｄとを有する。一方の長縁部２１ｄに沿って、第１実施形態の綴じ孔１１ｅの代わりに、長手方向に延びるシール２６が設けられている。シール２６の裏側には、接着層２７が設けられている。
シート本体２１の表面の一方の短縁部２１ｂ寄りには、短手方向に延びるスリット２２が設けられている。図９においては、スリット２２は少し幅を有しているが、これには限定されない。幅を有さず、直線状に設けられていてもよい。
【００３７】
シート本体２１の裏面には、前記一方の長縁部２１ｄから所定間隔を隔てて、開口部２３ａが位置するように、ポケット２３が設けられている。ポケット２３の開口部２３ａ以外の縁部は、二つの短縁部２１ａ、２１ｂ、及び他方の長縁部２１ｃと重なっている。図９のシート２０においては、一枚のシートを折り曲げて他方の長縁部２１ｃ（ポケット２３の底部）を形成し、ポケット２３の向かい合う２つの縁部をシート本体２１の短縁部２１ａ、２１ｂに夫々、超音波溶着により固着している。
【００３８】
シート２０の長縁部２１ｃの略中央部には、第１実施形態のインデックスタブ１４と同様の、縦長の長方形状をなすインデックスタブ２４が設けられている。インデックスタブ２４は、短辺側端部同士を超音波溶着により固着してなる固着部２４ａを有する。インデックスタブ２４のポケット２３側の裏面には、しおり部１５と同様の、しおり部２５が連設されている。
【００３９】
本実施形態においては、シール２６を剥がして接着層２７を露出させて、ノートの表表紙の裏側、裏表紙の裏側、及び用紙等の端部に接着層２７を対向させて押圧し、シート２０を貼付することができる。
シート２０においては、名刺等の小さい紙類をスリット２２に差し入れたとき、紙類の内側端部は、短縁部２１ｂとポケット２３の縁部との溶着部に対向するのでずり落ちることはなく、紙類をスリット２２に良好に保持することができる。そして、紙類の他方の短縁部２１ａ側の部分がスリット２２から飛び出るように構成されているので、紙類を取り出し易い。
前記紙類よりサイズが大きい紙類はポケット２３に良好に収納することができる。シート本体２１の両面を有効活用できる。
【００４０】
（第３実施形態）
図１０は、第３実施形態に係るシート３０を示す裏面図である。
シート３０は、シート本体３１、スリット３２、ポケット３３、インデックスタブ３４、及びしおり部３５を備える。
シート本体３１は縦長の長方形状をなし、対向する二つの短縁部３１ａ、３１ｂと、対向する二つの長縁部３１ｃ、３１ｄとを有する。一方の長縁部３１ｄに沿って、綴じ具のリングが挿通される複数の綴じ孔３１ｅが並設されている。
シート本体３１の表面の一方の短縁部３１ｂ寄りには、短手方向に延びるスリット３２が設けられている。図１０においては、スリット３２は少し幅を有しているが、これには限定されない。幅を有さず、直線状に設けられていてもよい。
【００４１】
シート本体３１の裏面には、他方の短縁部３１ａから所定間隔を隔てて、開口部３３ａが位置するように、ポケット３３が設けられている。ポケット３３の開口部３３ａ以外の縁部は、二つの長縁部３１ｃ、３１ｄ、及び一方の短縁部３１ｂと重なっている。図１０のシート３０においては、一枚のシートを折り曲げて他方の長縁部３１ｃを形成し、ポケット３３の隣り合う２つの縁部をシート本体３１の隣り合う一方の短縁部３１ｂ及び一方の長縁部３１ｄに夫々、超音波溶着により固着している。
【００４２】
ポケット３３の他方の長縁部３１ｃ側の長手方向の略中央部には、切欠き３３ｂが設けられている。切欠き３３ｂは、横長の長方形の一方の長縁部３１ｄ側かつ他方の短縁部３１ａ側の角部が欠けた五角形状をなす。切欠き３３ｂの他方の長縁部３１ｃ側には、インデックスタブ３４が設けられている。インデックスタブ３４は、四角形を外側で山折することで生じる二片の縦長の長方形の部分からなり、二片の短辺側端部同士を超音波溶着により固着した固着部３４ａ，３４ａを有する。インデックスタブ３４のポケット３３の裏面側の一片には、しおり部３５が連設されている。
【００４３】
しおり部３５は、切欠き３３ｂに倣った五角形状を有する。しおり部３５の一方の短縁部３１ｂに平行な方向の寸法は、切欠き３３ｂの前記方向の寸法より短い。しおり部３５の一方の長縁部３１ｄ側の先端部は、切欠き３３ｂの一方の長縁部３１ｄ側の先端部よりも、他方の長縁部３１ｃ側に配置されている。しおり部３５の先端部分は自由端である。
【００４４】
本実施形態のシート３０においては、ポケット３３の裏面から、インデックスタブ３４の二片としおり部３５とを合わせた部分を切り出し、インデックスタブ３４の二片分、外側に突出させて中央部で折り曲げ、インデックスタブ３４としおり部３５と切欠き３３ｂとを形成している。
【００４５】
本実施形態においては、名刺等の小さい紙類をスリット３２に差し入れたとき、紙類の内側端部は、一方の短縁部３１ｂとポケット３３の縁部との溶着部に対向するのでずり落ちることはなく、紙類をスリット３２に良好に保持することができる。そして、紙類の他方の短縁部３１ａ側の部分がスリット３２から飛び出るように構成されているので、紙類を取り出し易い。
前記紙類よりサイズが大きい紙類はポケット３３に良好に収納することができる。シート本体３１の両面を有効活用できる。
【００４６】
今回開示された実施の形態は、全ての点で例示であって、制限的なものではないと考えるべきである。本発明の範囲は、上述した意味のみではなく、特許請求の範囲と均等の意味及び特許請求の範囲内での全ての変更が含まれることが意図される。
例えばポケット１３、２３、３３の開口部以外の縁部がシート本体１１、２１、３１の縁部に重なっている場合には限定されない。また、ポケット１３、２３、３３の開口部が、シート本体１１、２１、３１の対応する縁部から所定間隔を隔ててある場合に限定されない。そして、スリット１２、２２、３２もシート本体１１、２１、３１の短手方向に延びるように形成されている場合に限定されず、長手方向に延びるように形成されていてもよい。
そして、インデックスタブ１４、２４、３４及びしおり部１５、２５、３５は、長縁部１１ｃ、２１ｃ、３１ｃに設ける場合には限定されず、シート本体１１、２１、３１の他の縁部に設けてもよい。また、インデックスタブ１４、２４、３４及びしおり部１５、２５、３５が連設されている場合にも限定されない。
【符号の説明】
【００４７】
１、２０、３０  シート
１１、２１、３１  シート本体
１１ｅ、２１ｅ、３１ｅ  綴じ孔
１２、２２、３２  スリット
１３、２３、３３  ポケット
１３ａ、２３ａ、３３ａ  開口部
１３ｂ、２３ｂ、３３ｂ  切欠き
１４、２４、３４  インデックスタブ
１４ａ、２４ａ、３４ａ  固着部
１５、２５、３５  しおり部
２  表表紙
３  貫通孔
４  裏表紙
５  綴じ具
５２  リング
６  背表紙
【図１】
2019077157.tif 000003
【図２】
2019077157.tif 000004
【図３】
2019077157.tif 000005
【図４】
2019077157.tif 000006
【図５】
2019077157.tif 000007
【図６】
2019077157.tif 000008
【図７】
2019077157.tif 000009
【図８】
2019077157.tif 000010
【図９】
2019077157.tif 000011
【図１０】
2019077157.tif 000012